(57)【要約】本発明は、Ｎ−ホスホノメチルグリシン、ハロゲン化アンモニウム、及びハロゲン化アルカリ金属若しくはハロゲン化アルカリ土類金属、及び任意に、溶解状態の有機不純物を含む水性混合物から、Ｎ−ホスホノメチルグリシンを回収する方法であって、（ａ）混合物のｐＨを２〜８の範囲の値に調節する工程、（ｂ）選択ナノろ過膜上で混合物の分離を行い、Ｎ−ホスホノメチルグリシンがより多く、ハロゲン化物がより少ない残留物（レテンテート）、及びハロゲン化物がより多く、Ｎ−ホスホノメチルグリシンがより少ない透過物を得る工程、そして（ｃ）Ｎ−ホスホノメチルグリシンを残留物から回収する工程、を行うことを特徴とする回収方法に関する。この方法はＮ−ホスホノメチルグリシンの回収を、ハロゲン化物塩の同時分離と一緒に行うことを可能にする。【特許請求の範囲】
【請求項１】
Ｎ−ホスホノメチルグリシン、ハロゲン化アンモニウム、及びハロゲン化アルカリ金属若しくはハロゲン化アルカリ土類金属、さらに任意に、溶解状態の有機不純物を含む水性混合物から、Ｎ−ホスホノメチルグリシンを回収する方法であって、
（ａ）混合物のｐＨを２〜８の範囲の値に調節する工程、
（ｂ）選択ナノろ過膜で混合物の分離を行い、Ｎ−ホスホノメチルグリシンがより多く、ハロゲン化物がより少ない残留物、及びハロゲン化物がより多く、Ｎ−ホスホノメチルグリシンがより少ない透過物を得る工程、そして
（ｃ）Ｎ−ホスホノメチルグリシンを残留物から回収する工程、
を行うことを特徴とする回収方法。
【請求項２】
混合物が、下記のＮ−ホスホノメチルグリシンの製造、即ち下記の式II：
【化１】
2004535438.tif 000008
［但し、Ｘが、ＣＮ、又はＣＯＮＲ１Ｒ２を表し、
Ｒ１及びＲ２が、同一でも異なっていても良く、Ｈ又はＣ１〜Ｃ４−アルキルを表す。］
で表されるトリアジンを、
式III：
【化２】
2004535438.tif 000009
［但し、基Ｒ３が、Ｃ１〜Ｃ１８−アルキル、又はＣ１〜Ｃ４−アルキル、ＮＯ２又はＯＣ１〜Ｃ４−アルキルで置換されていても良いアリールを表す。］
で表されるトリアシルホスフィットと反応させ、そして得られた生成物をハロゲン化水素酸で加水分解する製造、に由来している請求項１に記載の方法。
【請求項３】
式IIのトリアジンと式IIIのトリアシルホスフィットとの反応、得られた生成物の塩酸を用いた加水分解、及びｐＨ０．５〜２でのＮ−ホスホノメチルグリシン分離の後に、母液として得られる混合物を使用する請求項２に記載の方法。
【請求項４】
混合物が、０．５〜３質量％のＮ−ホスホノメチルグリシン及び１０〜２５質量％の塩化物の塩を含んでいる請求項３に記載の方法。
【請求項５】
混合物のｐＨが、２．５〜６．５の範囲の値に調節される請求項１〜４のいずれかに記載の方法。
【請求項６】
工程（ｂ）で、５０〜１０００Ｄの範囲の分離限界を有する膜を使用する請求項１〜５のいずれかに記載の方法。
【請求項７】
膜が、１００〜５００Ｄの範囲の分離限界を有する請求項６に記載の方法。
【請求項８】
工程（ｂ）における混合物の分離を、残留物側と透過物側との間の膜透過圧力を３０〜１００バールの範囲にして行う請求項１〜７のいずれかに記載の方法。
【請求項９】
工程（ｂ）における混合物の分離を、０．１〜５ｍ／秒の範囲の流速で行う請求項１〜８のいずれかに記載の方法。
【請求項１０】
工程（ｂ）における分離を、透過物を供給溶液としてある段階から次の段階に供給することにより、多段階で行う請求項１〜９のいずれかに記載の方法。
【請求項１１】
第２段階或いはさらなる段階での残留物を、少なくとも一部、第１の又は前の段階に供給する請求項１０に記載の方法。
【請求項１２】
工程（ｂ）で得られる残留物を、少なくとも一つのダイアフィルトレーション工程に付す請求項１〜１１のいずれかに記載の方法。
【請求項１３】
透過物を、ハロゲン化アンモニウムに含まれるアンモニア又はアミンを遊離させるために、強塩基で処理する請求項１〜１２のいずれかに記載の方法。
【発明の詳細な説明】
【技術分野】
【０００１】
本発明は、Ｎ−ホスホノメチルグリシン、塩化物の塩、及び任意に有機不純物を含む水性混合物から、Ｎ−ホスホノメチルグリシンを回収する方法に関する。
【背景技術】
【０００２】
Ｎ−ホスホノメチルグリシン（グリホセート(glyphosate)）は、広く使用されている総合的な除草剤である。ホスホノメチルグリシンを製造する方法としては多くの方法が知られている。最も慣用的な製造法の一つにおいては、最終段階で、ホスホノメチルイミノ二酢酸又はその塩を、空気、酸素又は過酸化水素を用いて触媒存在下に酸化する。酸化は、一般に、触媒として、炭素、モリブデン塩又はバナジウム塩、白金、ロジウム又はパラジウム等を用いて水性媒体中で行われる。Ｎ−ホスホノメチルグリシンに加えて、二酸化炭素及びホルムアルデヒドが、ここでは形成される。この種の方法は、特許文献１及び特許文献２に記載されている。
【０００３】
従って、反応混合物、及び晶析により反応混合物からＮ−ホスホノメチルグリシンの回収後に得られる母液の両方が、発癌性として知られるホルムアルデヒドを含んでいる。このため、特許文献３には、１０〜１０００ｎｍの孔径を有する選択膜を用いる分離方法によりホルムアルデヒドを除去することが提案されている。ここではホルムアルデヒドは透過物で除去される。
【０００４】
特許文献４には、下記の式IIａ：
【０００５】
【化１】
2004535438.tif 000002
【０００６】
［但し、Ｘが、特にＣＮを表す。］
で表されるヘキサヒドロトリアジン誘導体を、式：Ｐ（ＯＣＯＲ３）３［但し、Ｒ３が、特にフェニルを表す。］で表されるトリアシルホスフィットと反応させ、そして得られた生成物を加水分解する、Ｎ−ホスホノメチルグリシンの製造方法が開示されている。Ｎ−ホスホノメチルグリシンはｐＨ０．５〜２において晶析により反応混合物から回収される。母液は、ホスホノメチルイミノ二酢酸の酸化で得られる母液とは完全に異なる組成を有する。それは、さらにかなりの量のＮ−ホスホノメチルグリシン、少量のアミノメチルホスホン酸、グリシン及びビス（ホスホノメチル）グリシン、及び大量の塩化物の塩を含んでいる。重要な物質の損失を最小にし、また廃水による汚染を最小にすることが望まれる。
【０００７】
【特許文献１】
ＵＳ３９５０４０２
【特許文献２】
ＵＳ３９６９３９８
【特許文献３】
ＩＴ１２８１０９４
【特許文献４】
ＰＣＴ／ＥＰ０２／１３１６２
【発明の開示】
【発明が解決しようとする課題】
【０００８】
このため、本発明は、Ｎ−ホスホノメチルグリシン、アンモニウム塩、及びアルカリ金属若しくはハロゲン化アルカリ土類金属塩、さらに任意に溶解状態の有機不純物を含む水性混合物から、Ｎ−ホスホノメチルグリシンを回収する経済的な方法を獲得する目的でなされている。同時に、この方法は、できるだけ完全にＮ−ホスホノメチルグリシンを回収し、且つできるだけ完全にアンモニア塩に含まれるアンモニアを回収することを可能にするものである。
【課題を解決するための手段】
【０００９】
驚くべきことに、今、上記目的が、上記水性混合物を、選択ナノろ過膜を用いる圧力駆動分離法(pressure-driven separation process)で分離させることにより達成されることを見出した。
【００１０】
このため、本発明者は、Ｎ−ホスホノメチルグリシン、ハロゲン化アンモニウム、及びハロゲン化アルカリ金属若しくはハロゲン化アルカリ土類金属、さらに任意に、溶解状態の有機不純物を含む水性混合物から、Ｎ−ホスホノメチルグリシンを回収する方法であって、
（ａ）混合物のｐＨを２〜８の範囲の値に調節する工程、
（ｂ）選択ナノろ過膜で混合物の分離を行い、Ｎ−ホスホノメチルグリシンがより多く且つハロゲン化物がより少ない残留物（retentate）、及びハロゲン化物がより多く且つＮ−ホスホノメチルグリシンがより少ない透過物(permeate)を得る工程、そして
（ｃ）Ｎ−ホスホノメチルグリシンを、所望により残留物から、回収する工程、
を行うことを特徴とする回収方法。
【発明を実施するための最良の形態】
【００１１】
図１は、本発明の方法の工程（ｂ）の、連続手順の代表的概略図である。
図２は、本発明の方法の工程（ｂ）の、バッチ手順の代表的概略図である。
図３は、図１に示した本発明の方法の工程（ｂ）で、次のダイアフィルトレーションを伴う場合の代表的概略図である。
図４は、ダイアフィルトレーションとして実行された本発明の方法の工程（ｂ）の代表的概略図である。
図５は、３段階態様の、本発明の方法の工程（ｂ）の代表的概略図である。
【００１２】
Ｎ−ホスホノメチルグリシンは、ｐＨとの関係で、異なるイオン形態で存在し得る。これらの全ての形態が、本発明に包含される。
【００１３】
出発材料として使用される混合物は、水性（水溶性）混合物である。それは、小さな割合、特に１０質量％以下の水と相溶性の溶剤、例えばモノ又はポリアルコール（例、メタノール、エタノール、イソプロパノール、グリコール、１，２−又は１，３−プロパンジオール等）、アセトン、ジオキサン又はテトラヒドロフランを含んでいる。
【００１４】
混合物は、Ｎ−ホスホノメチルグリシンの質量に対して、過剰のハロゲン化アンモニウム、及びハロゲン化アルカリ金属又はハロゲン化アルカリ土類金属を含んでいる。ハロゲン化アンモニウムは、ＮＨ４Ｈａｌに加えて、１〜３個の、Ｃ１〜Ｃ４−アルキル又はベンジル基で置換されたハロゲン化アンモニウム（例、メチル−、ジメチル−、トリメチル−、トリブチル−又はベンジル−アンモニウム）を意味すると理解すべきである。好ましいハロゲン化アルカリ金属又はハロゲン化アルカリ土類金属は、ハロゲン化ナトリウム、ハロゲン化カリウム及びハロゲン化カルシウムである。ハロゲン化物として塩化物が好ましい。ハロゲン化物の量は、混合物総量に対して、一般に、少なくとも８質量％、特に少なくとも１０質量％、なかでも少なくとも１２質量％である。Ｎ−ホスホノメチルグリシンの量は、一般に、４質量％未満、特に３質量％未満であり、特に０．５〜３質量％が好ましい。
【００１５】
好ましい態様によれば、混合物は、下記のＮ−ホスホノメチルグリシンの製造、即ち下記の式II：
【００１６】
【化２】
2004535438.tif 000003
【００１７】
［但し、Ｘが、ＣＮ、又はＣＯＮＲ１Ｒ２を表し、
Ｒ１及びＲ２が、同一でも異なっていても良く、Ｈ又はＣ１〜Ｃ４−アルキルを表す。］
で表されるヘキサヒドロトリアジン誘導体を、
式III：
【００１８】
【化３】
2004535438.tif 000004
【００１９】
［但し、基Ｒ３が、同一でも異なっていても良く、Ｃ１〜Ｃ１８−アルキル、又はＣ１〜Ｃ４−アルキル、ＮＯ２又はＯＣ１〜Ｃ４−アルキルで置換されていても良いアリールを表す。］
で表されるトリアシルホスフィットと反応させ、そして得られた生成物をハロゲン化水素酸で加水分解する、Ｎ−ホスホノメチルグリシンの製造に由来している。反応は溶剤があっても無くても行うことができる。不活性な有機溶剤が使用されることが好ましく、特にハロゲン化炭化水素、例えば１，２−ジクロロエタンを使用することが好ましい。反応成分は、実質的に化学量論量で使用することが便宜である。反応温度は、一般に−１０℃〜１４０℃の範囲である。
【００２０】
その後、酸性加水分解が行われ、ハロゲン化水素酸、例えば塩化水素が特に使用される。塩化水素を用いると、その後、本発明の方法の出発材料として使用される水性混合物に、塩化アンモニウムが含まれる。
【００２１】
酸は、一般に、過剰で、特に少なくとも２当量の量で使用される。加水分解を行う温度は、一般に１０〜１８０℃の範囲である。
【００２２】
過剰の酸を用いる加水分解で得られるホスホノメチルグリシンは水相に溶解される。加水分解で形成されるカルボン酸Ｒ３ＣＯＯＨは一般に沈殿し、慣用法で分離される。
【００２３】
ホスホノメチルグリシンは、水相を０．５〜２．０の範囲のｐＨに調節することにより沈殿させることができ、慣用法で回収される。ｐＨの調節はアルカリ金属又はアルカリ土類金属の水酸化物、特にＮａＯＨ又はＫＯＨの添加により行われる。
【００２４】
ホスホノメチルグリシンの回収後に残る混合物は、本発明の方法のための出発材料として使用される。それが有機溶剤を含んでいる場合、これは蒸留により混合物から実質的に除去される。混合物は実質的に以下の組成（それぞれ混合物総量に対する量）を有する水性混合物である：
０．５〜３質量％、特に０．５〜２．５質量％のＮ−ホスホノメチルグリシン、
０．０１〜０．５質量％のアミノメチルホスホン酸、
０．１〜０．４質量％のグリシン、
０．２〜０．８質量％のビス（ホスホノメチル）グリシン、
１０〜２５質量％、特に１２〜２０質量％のハロゲン化アンモニウム／ハロゲン化アルカリ金属又はハロゲン化アルカリ土類金属。
【００２５】
式IIのヘキサヒドロトリアジンを介してＮ−ホスホノメチルグリシンを製造する方法は、ＰＣＴ／ＥＰ００／１３１６２に詳細に記載されている。この出願の内容はまた参照により本願に含まれている。
【００２６】
本発明の方法の工程（ａ）において、水性混合物を２〜８、好ましくは２．５〜６．５そして特に４〜５のｐＨに調節する。この調節は、適当な酸又は塩基、例えば塩化水素、硫酸、リン酸、水酸化ナトリウム又は水酸化カリウムを用いて行われる。
【００２７】
本発明の方法における工程（ｂ）において、混合物は、その後、選択ナノろ過膜での分離に付される。ナノろ過は、超ろ過及び逆浸透の様な、膜の一方の側から正浸透圧を用いる圧力駆動膜分離法を意味すると理解される。この正浸透圧は、処理すべき溶液の浸透圧を超える圧である（ここで浸透圧は特に膜の残留挙動により決定される）。ナノろ過膜は、機械的理由のために、膜と同じ材料又は異なる材料で作製された支持体である、単層又は複層構造に取り付けられる。分離層は、有機ポリマー、セラミック、金属又はカーボンから構成することができる。屡々、架橋された芳香族ポリアミドから作製された膜が使用される。本発明の好ましい膜は、アニオン基、例えばスルホン酸基を有し、そしてこのため負の電荷を示す。適当なナノろ過膜は当該技術者には公知であり、市販品として入手可能である。その例としては、Ｄｅｓａｌ−５膜（Ｄｅｓａｌｉｎａｔｉｏｎ  Ｓｙｓｔｅｍｓ，Ｅｓｃｏｎｄｉｄｏ、ＵＳＡ社製）；ＮＦ膜（Ｆｉｌｍｔｅｃ  Ｃｏｒｐ．，  Ｍｉｎｎｅａｐｏｌｉｓ社製，ＵＳＡ）、例えばＮＦ７０、ＮＦ５０、ＮＦ４０及びＮＦ４０ＨＦ；ＳＵ６００膜（東レ（株）製、日本）；及びＮＴＲ膜（Ｎｉｔｔｏ  Ｅｌｅｃｔｒｉｃ（株）製、日本）、例えばＮＴＲ７４５０膜及びＮＴＲ７２５０膜；参照ＷＯ９６／３３００５を挙げることができる。
【００２８】
本発明の好ましい膜は、５０〜１０００Ｄ、好ましくは１００〜５００Ｄの範囲の分離限界を有する。
【００２９】
実際、ナノろ過膜は「膜モジュール」（膜ユニット）に組み込まれる。本発明の方法の温度、圧力条件で機械的に安定である全てのモジュール構造がここでは適当である。例えば、平面状、管状、多溝素子、毛細管又巻き構造が好適である。適当な態様は市販されている。
【００３０】
工程（ｂ）を行う温度は、臨界的ではない。一般に、温度は、膜への損傷が起こらないように選ばれる。このため、ポリマー膜の場合、本方法は便宜上５０℃未満の温度で行われる。しかしながら、セラミック又は金属膜は、より高い温度でも使用することができる。
【００３１】
工程（ｂ）は、圧力駆動分離方法である。従って、分離のための駆動力は、膜面の圧力差であり、それは使用される混合物の浸透圧より大きくなければならない。便宜上、この方法は、滞留物側と透過物側の間の膜透過圧力が３０〜１００バールの条件で行われる。
【００３２】
膜の送り側での濃度の偏り及び結晶化成分の沈着を避けるために、供給溶液は、一般にクロスフロー（crossflow）で膜を通過させる。残留物は、ここで少なくともその一部が再循環される。好ましくは、この方法は、供給溶液の通過速度が０．１〜５ｍ／秒の範囲で行われる。通過速度は、モジュールの構造に依存して変化するが、また当該技術者により簡単に決定することができる。
【００３３】
工程（ｂ）により、使用される混合物の、供給溶液に比べてＮ−ホスホノメチルグリシンが多い残留物（レテンテート）、及びハロゲン化アンモニウム、ハロゲン化アルカリ金属若しくはアルカリ土類金属が多い透過物への分離が行われる。このため、驚くべきことに、Ｎ−ホスホノメチルグリシンと上述のハロゲン化物の分離が可能となる。但し、分離すべき成分の分子量差は非常に大きいとは言えないし、Ｎ−ホスホノメチルグリシンは塩の形で定量的に存在しているとは言えない。
【００３４】
本発明の方法の工程（ｂ）は、Ｎ−ホスホノメチルグリシンの所望の回収程度及びハロゲン化物の所望の消耗（減少）程度にもよるが、異なる態様での実現が可能である。従って、工程（ｂ）は、Ｎ−ホスホノメチルグリシンの多い残留物とハロゲン化物の多い透過物とが得られる純粋な濃縮段階として行うことができる。ここで、膜の残留物側のハロゲン化物の消耗は、浸透圧により限定される。
【００３５】
残留物中のハロゲン化物の連続的消耗を望む場合、濃縮段階に続いて少なくとも一つのダイアフィルトレーション(diafiltration)が行われる。この目的のために、透過物を分離した時と丁度同量の水を濃縮段階の残留物に供給される。その後希釈された残留物は、ダイアフィルトレーション段階に送られ、このダイアフィルトレーション段階は上記と同条件下で、同じ膜を用いて行われる。こうして、ハロゲン化物が消耗した残留物が得られ、これは、所望により別の工程、例えば水の蒸留除去により濃縮することができる。
【００３６】
ハロゲン化物の高い消耗（減少）を得るため、工程（ｂ）も純粋なダイアフィルトレーションとして行うことも可能である。ここでは、工程（ａ）で得られた溶液を、上述のように分離し、しかしながら、その場合、透過物として分離した時と同量の水が残留物に給送される。Ｎ−ホスホノメチルグリシンの回収のために、例えば蒸留又は逆浸透により水を除去することによって濃縮された残留物が得られる。
【００３７】
純粋な濃縮、次のダイアフィルトレーション付きの濃縮及び純粋なダイアフィルトレーションの全てが、一段階又は多数段階で行うことができる。多数段階手順において、前の段階の透過物が次の段階に供給され、そして次の段階の残留物が、前段階の供給溶液に供給される。ここで、個々の段階は、同じ又は異なる膜を具備し得る。多数段階手順で、Ｎ−ホスホノメチルグリシン又はその塩のより良好な残留物が達成される。
【００３８】
工程（ｂ）の後に得られる残留物は、それ自体、さらに使用することができる。濃度及び純度によるが、それは濃縮又は精製され、或いは処分され得る。しかしながら、一般に、残留物は、その中に含まれるＮ−ホスホノメチルグリシンの回収のために工程（ｃ）のようにさらに処理される。
【００３９】
本発明の方法の工程（ｂ）を、図面により以下に説明する：
混合物の連続的分離のために、供給溶液Ｆを、膜３の位置が定められているハウジング２を有する膜ユニットＭへ、ライン１を介してクロスフロー法で供給する。供給溶液Ｆは膜３に流れ、残留物Ｒはライン４を介して除去される。所望により、残留物Ｒの一部がライン５を介して戻される。透過物Ｐはライン６を介して除去される。
【００４０】
図２には、ライン１を介して循環容器７に供給される供給溶液Ｆのバッチ式分離法が示されている。元の液体レベルは８で指示されている。供給溶液Ｆは、クロスフロー手順で図１に記載の膜ユニットＭにライン９を介して供給される。膜３上で、ライン４を介して循環容器７に戻される残留物１、及びライン６を介して除去される透過物Ｐへの分離が起こる。このようにして、ライン１０を介して残留物Ｒとして最終的に除去される供給溶液Ｆの濃縮が起こる。濃縮後の液体レベルは、１１によって指示されている。
【００４１】
図３には、膜ユニットＭ１の濃縮段階及び次の膜ユニットＭ２のダイアフィルトレーション段階における混合物の分離が示されている。濃縮段階は、図１と関連して上述のように操作され、透過物Ｐ１がライン６を介して除去される。残留物はライン４を介して除去され、水で希釈され、膜１３を備えた膜モジュール１２のダイアフィルトレーション段階Ｍ２に供給される。これは図１に関する上述のように同様に操作される。ライン１４を介して導かれる残留物Ｒ、より高度に濃縮された透過物Ｐ１、及びライン１５を介して導かれるより濃縮程度の小さい透過物Ｐ２への分離が、最終的に得られる。
【００４２】
純粋なダイアフィルトレーションとしての工程（ｂ）の実施は、図４に示されている。供給溶液Ｆは、水で希釈した後、ライン１を介して膜ユニットＭに供給され、図１に関連して上述のように分離される。
【００４３】
図５には、３段階分離法の処理手順を概略的に示されている。並列に接続された３個の膜ユニットＭ１、Ｍ２及びＭ３が設けられており、膜３を備えている。膜ユニットの数は所望により増やすことができる。
【００４４】
供給溶液Ｆは、クロスフロー手順で第１の膜ユニットＭ１にライン１を介して供給される。残留物Ｒ１及び透過物Ｐ１への分離が起こる。残留物Ｒ１はライン４を介してその一部は放出され、また一部はライン５を介して供給溶液に戻される。透過物Ｐ１は、クロスフロー手順で第２の膜ユニットＭ２にライン６を介して供給される。残留物Ｒ２及び透過物Ｐ２への分離が起こる。残留物Ｒ２は、供給溶液Ｆに供給され、ライン１を介して膜ユニットＭ１に送られる。所望により、残留物Ｒ２の一部は膜ユニットＭ２の供給溶液に戻される。透過物Ｐ２は、クロスフロー手順により第３の膜ユニットＭ３に供給される。分離で得られた残留物Ｒ３は、膜ユニットＭ２の供給部に供給される。所望により、残留物Ｒ３の一部は膜ユニットＭ３の供給溶液に戻される。透過物Ｐ３は放出される。
【００４５】
本発明の方法の工程（ｃ）において、工程（ｂ）で得られる残留物からＮ−ホスホノメチルグリシンの回収が行われる。この目的のために、残留物のｐＨは、酸（例、塩酸又は硫酸）の添加により、０．５〜２．０，特に０．８〜１．５に調節される。所望により、残留物は、例えば蒸留又は逆浸透により濃縮される。できるだけ完全にホスホノメチルグリシンを沈殿させるために沈殿助剤を添加することも可能である。使用される沈殿助剤としては、水混和性溶剤、例えばメタノール、エタノール、イソプロパノール、アセトン等が好ましい。溶剤は母液から蒸留により回収し、再利用することができる。
【００４６】
ホスホノメチルグリシンは、結晶の形で得られる。それは、慣用法、例えばろ過により回収することができる。
【００４７】
工程（ｂ）で得られる透過物は、処分されるか、或いは別の処理に送られる。好ましくは、それを、強塩基を用いてアルカリ性（例、ｐＨ１３−１４）にして、透過物に含まれるハロゲン化アンモニウムからアンモニア又は対応するアミンを回収する。好適な塩基としては、アルカリ金属水酸化物又はアルカリ土類金属水酸化物、例えば水酸化ナトリウム、水酸化カリウム又は水酸化カルシウムを挙げることができる。このようにして遊離したアンモニアは、例えば、蒸留又は不活性ガス（例、空気又は窒素）を用いたストリッピングにより回収される。
【００４８】
本発明の方法又はそこで採用される各段階は、連続法で行っても、バッチ法で行っても、半バッチ法で行ってもよい。
【００４９】
本発明の方法の利点は、Ｎ−ホスホノメチルグリシンの濃縮、そして製造における収率の増加にある。さらに、廃水から穀物保護成分の分離を達成することができる。最後に、出発混合物に含まれる塩化物の分離を行い、これによりハロゲン化アンモニウムからアンモニアのより簡単な回収が可能となる。
【００５０】
以下の実施例により本発明を説明するが、これらに限定されるものではない。
【実施例】
【００５１】
実施例１
テフロン（登録商標）ブレード攪拌器及び還流冷却器を備えた２Ｌの撹拌フラスコに、２８４ｇの安息香酸アンモニウムを先ず１０００ｍｌの１，２−ジクロロエタン中に導入し、そして９１．５ｇの三塩化リンを、窒素雰囲気下、３０分間に亘って滴下した。滴下中、温度は３６℃の最大値まで上昇した。その後撹拌を２５〜３６℃で３０分間続けた。反応混合物を圧力吸引フィルタを通してろ過し、ろ過ケーキを、窒素雰囲気下、各回、５００ｇのジクロロエタンで２回洗浄した（２０５４ｇのろ過物）。
【００５２】
テフロン（登録商標）ブレード攪拌器及び還流冷却器を備えた２Ｌの撹拌フラスコに、室温で、ろ過物を導入し、そしてヘキサヒドロトリアジンIIa（Ｘ＝ＣＮ、４５．５４ｇ）を加えた。撹拌しながら、混合物を、３０分間で８０℃に加熱し、８０℃で３０分間撹拌した。溶液を冷却し、これに続いて直ちに加水分解した。
【００５３】
このため、使用される物質を、１３０℃、８バールで計量し、予め接続された静的混合機を有する管型反応器（容量約６００ｍｌ）に導入した（前段からの１２６５ｇ／ｈのジクロロエタン溶液、２０７ｇ／ｈの２０％濃度ＨＣｌ）。滞留時間は３０分であった。初めの流出物は廃棄した。さらなる処理のために、得られる２相混合物を６０分間集めた。その２相を６０℃で分離し、水相を各回１００ｇのジクロロエタンで２回抽出した。
【００５４】
テフロン（登録商標）ブレード攪拌器を備えた丸底フラスコにおいて、水相になお含まれているジクロロエタンを、窒素中を１時間通過させることにより、まずストリッピングを行った。ｐＨは、その後４０〜６０℃で１５分に亘り、５０％濃度水酸化ナトリウム溶液を用いてｐＨ＝１．０に調節された。得られた懸濁液を４０℃で３時間撹拌し、室温まで冷却し、沈殿生成物を吸引ろ過し、次いで１５０ｇの氷水で洗浄した。得られた固体は、７０℃、５０ミリバールで１６時間乾燥した。
【００５５】
収率：５４．６ｇのホスホノメチルグリシン（ＨＰＬＣによる純度９６．２％）。ＰＣｌ３に対して８０％の収率。
【００５６】
晶析した母液は下記の組成を有する：
２．１０質量％のＮ−ホスホノメチルグリシン
０．１０質量％のアミノエチルホスホン酸
０．２０質量％のグリシン
０．４５質量％のビス（ホスホノメチル）グリシン
１６．７０質量％のＮａＣｌ／ＮＨ４Ｃｌ。
【００５７】
次いで、母液のｐＨを５０％濃度ＮａＯＨを用いて４に調節した。その後、母液を、撹拌受圧器でバッチ式で濃縮した。撹拌受圧器は、ナノフィルトレーション（タイプＤｅｓａｌ  ５  ＤＫ、Ｄｅｓａｌ−Ｏｓｍｏｔｉｃｓ社製）を備えている。平均透過物流率（mean specific permeate flow）は５．２９ｋｇ／ｍ２ｈであった。９９．２２％のＮ−ホスホノメチルグリシンの残留物及び８６．２６％の塩化物塩の消耗が得られた。結果を下記の表１にまとめる。
【００５８】
【表１】
2004535438.tif 000005
【００５９】
Ｎ−ホスホノメチルグリシンの回収のために、５０．０ｇの残留物及び３０．０ｇの水を、テフロン（登録商標）ブレード攪拌器を備えた２５０ｍｌの丸底フラスコに導入した。１４．２４ｇの２０％濃度ＨＣｌを、４０℃で、１０分間これに滴下し、１．３のｐＨに達した。得られた懸濁液を４０℃でさらに３時間撹拌し、その後室温に冷却した。沈殿したホスホノメチルグリシンを吸引ろ過し、２０ｇの水で洗浄した。固体を７０℃、５０ミリバールで１６時間乾燥した。
【００６０】
収率：４．１０ｇの固体（５３％の回収率に対応する９４．７％のホスホノメチルグリシンを含む）。
【００６１】
2004535438.tif 000006
【００６２】
実施例２
実施例１と同様にして得た母液のバッチ式２段階濃縮
母液のｐＨを実施例１と同様に４に調節した。その後、母液を、実施例１と同じタイプの同じ膜を備えた撹拌受圧器においてバッチ式で濃縮した。条件は実施例１に記載通りである。透過物を同じ膜を備えた同じタイプの別の撹拌受圧器に供給し、濃縮した。濃縮を４０℃、４０バールで行った。平均透過物流率は２５．７０ｋｇ／ｍ２ｈであった。両方のナノろ過段階で計算されたＮ−ホスホノメチルグリシンの残留物は９９．９９％で、そして塩化物塩の消耗は７７．８２％であった。結果を下記の表２にまとめる。
【００６３】
【表２】
2004535438.tif 000007
【国際公開パンフレット】
2004535438.tif 000010
2004535438.tif 000011
2004535438.tif 000012
2004535438.tif 000013
2004535438.tif 000014
2004535438.tif 000015
2004535438.tif 000016
2004535438.tif 000017
2004535438.tif 000018
2004535438.tif 000019
2004535438.tif 000020
2004535438.tif 000021
2004535438.tif 000022
2004535438.tif 000023
2004535438.tif 000024
2004535438.tif 000025
2004535438.tif 000026
【国際公開パンフレット（コレクトバージョン）】
2004535438.tif 000027
【国際調査報告】
2004535438.tif 000028
2004535438.tif 000029
2004535438.tif 000030
2004535438.tif 000031
2004535438.tif 000032
2004535438.tif 000033